【事件の表示】
　特許第２９６２４７０号「パチンコ機」の請求項１，２に係る特許に対する特許異議の申立てについて、次のとおり決定する。
【結　論】
　特許第２９６２４７０号の請求項１，２に係る特許を維持する。
【理　由】
  特許２９６２４７０号（平成３年２月７日出願、平成１１年８月６日設定登録。）の請求項１，２に係る発明は、その特許請求の範囲の請求項１，２に記載された事項により特定される次のとおりのものである。
「【請求項１】金額情報が記録された玉貸カードを投入することが可能なカードユニット装置が対応して隣接されるパチンコ機において、
　前記パチンコ機には、前記カードユニット装置に投入される玉貸カードに記録された金額情報を表示する残額表示器と、該残額表示器に表示される金額の範囲内で且つ予め定められた金額単位に相当する貸玉を排出指令する信号を導出する玉貸信号導出操作手段と、前記カードユニット装置に投入された玉貸カードを返却指令する信号を導出する返却信号導出操作手段と、前記玉貸信号導出操作手段の操作に基づく排出指令信号及び入賞玉の発生に基づく排出指令信号があったときに予め定められた数の貸玉又は賞品玉をパチンコ機前面の上皿に排出する賞品玉排出装置と、該賞品玉排出装置を駆動制御する賞品玉排出制御基板と、を備え、
　一方、前記カードユニット装置には、該カードユニット装置を制御するカードユニット制御基板を備え、
　前記残額表示器と玉貸信号導出操作手段と返却信号導出手段とから延びる配線を前記カードユニット制御基板に接続すると共に前記カードユニット制御基板と賞品玉排出制御基板とを接続し、
　前記カードユニット制御基板は、前記賞品玉排出制御基板から正常信号が導出されているときに前記カードユニット装置を稼働制御し、前記正常信号が導出されていないときに前記残額表示器にその旨を表示制御するようにしたことを特徴とするパチンコ機。
【請求項２】前記カードユニット制御基板は、遊技場に設置されるホール・コンピュータと接続されていることを特徴とする請求項１記載のパチンコ機。」
  申立人は、証拠として甲第１〜３号証を提出し、各請求項に係る発明の特許は、上記甲第１〜３号証に記載された技術に基いて当業者が容易に発明をすることができたものであり、特許法第２９条第２項の規定により特許を受けることができないのものであるから、各請求項に係る発明の特許を取り消すべき旨主張している。
  甲第１号証（特開昭６３−１０２７８３号公報）には、
「カード挿排口とカード読取装置と金額表示器を少なくとも有する球貸機能部をパチンコ機或いはその近傍に配設し、該球貸機能部の少なくともカード読取装置と金額表示器を電気的制御装置に接続するとともに、該電気的制御装置を当該パチンコ機の球排出装置の制御装置に接続し、上記球貸機能部のカード挿排口にカードが挿入され、或いは遊技中における入賞にもとづいて上記球排出装置を作動して球を当該パチンコ機前面の受皿に排出するようにしたことを特徴とするパチンコ機のカード式球貸機構。」（特許請求の範囲）であって、
「球貸機能部２は、前面に上から球貸出中表示器６、カード挿排口７、金額表示器８、アラーム表示器９、金額選択操作部１０を設け、内部にはカード読取装置１１と上記電気的制御装置を設け、該電気的制御装置にカード読取装置１１及び上記した球貸出中表示器６、金額表示器８、アラーム表示器９、金額選択操作部１０等を電気的に接続してある。」（第２頁右上欄第７〜１４行）こと、
「中央管理装置からそのカード２１の残高を受信すると、電気的制御装置が金額表示器８にその金額を表示する。遊技者が金額表示器８の表示を確認し、金額選択操作部１０を操作することにより所望する金額を選択すると、電気的制御装置が当該パチンコ機１の球排出装置４を作動して、遊技者が選択した金額に対応した数量の球を該パチンコ機１前面の受皿２５に排出させる。」（第３頁左上欄第１９行〜右上欄第７行）こと、
「遊技者の所望する金額分の球が受皿２５に排出されると、これに伴って電気的制御装置の演算手段が作動し、排出した球に相当する金額を減算し、残高を金額表示器８に表示する。」（第３頁右上欄第１８行〜左下欄第２行）こと、
「球排出装置４は、遊技中に打球が入賞口に入る等して入賞状態が形成されると、電気的制御装置からの信号を受けて作動し、入賞態様に対応する数、例えば１３個の球を流下し、受皿２５に賞球として排出する。この様に、本発明においては、球貸出排出と賞球排出とを１つの排出装置４で行うようにした。」ことが、記載されている。
  甲第２号証（実願昭６３−１１０６９６号（実開平２−３２８８７号）の全文明細書及び図面）には、
「この実施例の遊技機はパチンコ機１００と、該パチンコ機と１対１で対応されて遊技機本体上方の島設備等に配置され、主として表示器とカードリーダに関する制御と遊技中の可動データの収集を司る制御ユニット１６０とにより構成される。」（第１７頁第４〜８行）こと、
「パチンコ機１００の下部には、封入球を一個ずつ遊技領域内に発射する打球発射装置１０３とその操作ダイヤル１０４が設けられており、また、操作ダイヤル１０４の上方には、前記カードを使用した遊技開始の手続きを可能にするための金額表示器１１１、玉数表示器１１２、購入スイッチ１１３、中断スイッチ１１４、終了スイッチ１１５、遊技状態表示器１１６等を備えた操作パネル１１０が設けられている。・・・購入スイッチ１１３は、制御ユニット１６０に内蔵されたカードリーダ８００へのカードの挿入を前提としてカードの有する金額の範囲内で、２００円等の単位でこれを遊技球に変換するための指示スイッチで・・・カードの残り金額は、１００円を１単位とする度数で金額表示器１１１に表示される・・・終了スイッチ１１５は遊技者が遊技を終了させたくなったとき（遊技台を変更したい場合を含む）にいつでもこれをオンさせることで、使用中のカードを制御ユニット１６０より排出させることができる。」（第１７頁第１４行〜第１８頁第１９行）ことが、記載されている。
  甲第３号証（特開昭６４−３４３９０号公報）には、
「所定の遊技用カードが挿入可能なカード挿入口と、
　前記カード挿入口から挿入されたカードが遊技用媒体の貸出し可能なカードか否かを判別するカード判別手段と、
　前記カード判別手段が貸出し可能なカードを判別した出力に応答して、所定数量の遊技用媒体を前記遊技用媒体払出手段から払出し、
　遊技機の賞態様に応じて所定数量の遊技用媒体を前記遊技用媒体払出手段から払出すことを特徴とする、遊技機。」（特許請求の範囲）であって、
「パチンコ遊技機３００から貸出した貸玉数、パチンコ遊技機３００における打込玉数、補給玉数、その他の玉数データ、および景品玉計数器２０で景品交換された玉数などもカードシステム管理装置１４へ与えられる。」（第３頁左上欄第５〜９行）こと、
「通常は景品玉通路３５４にはその上流端からパチンコ玉が常時補給されているのであるが、そのパチンコ玉の補給が何らかの原因で停止している場合には、景品玉通路３５ ４から供給される貸玉の数が足りなくなるおそれがある。そのような場合には、このパチンコ玉欠乏検出器３９４がパチンコ玉の不足を検出し、それに基づいて制御部３７８は表示用ドライバ３９０へ信号を与え、貸玉中表示器３９８を消灯させて、他の機構の制御動作を停止させる構成になっている。」（第８頁左下欄第９〜１９行）こと、
「貸玉制御回路部と遊技を制御する遊技制御回路部は、別々に設けてもよいし、また一体的に設けてもよい。」（第８頁右下欄第１６〜１８行）ことが、記載されている。
  請求項１に係る発明（以下「前者」という。）と上記甲号各証記載のもの（以下「後者」という。）とを対比すると、後者には、少なくとも前者の「カードユニット制御基板は、（パチンコ機側の）賞品玉排出制御基板から正常信号が導出されているときに前記カードユニット装置を稼働制御し、前記正常信号が導出されていないときに前記残額表示器にその旨を表示制御するようにした」点について何等記載されておらず、示唆もない。
  そして、前者はこの点により明細書記載の作用効果を奏するものである。
  以上のとおりであるから、本件特許の請求項１に係る発明は、上記甲号各証に記載された技術に基いて当業者が容易に発明をすることができたものとはいえない。
  本件特許の請求項２に係る発明は、上記前者を更に限定したものであるから、上記前者についての判断と同様である。
  従って、特許異議申立ての理由及び証拠によっては、請求項１，２に係る発明の特許を取り消すことはできない。
　また、他に本件特許を取消すべき理由を発見しない。
  よって、結論のとおり決定する。
【異議決定日】
平成１２年６月１９日（２０００．６．１９）